(57)【要約】      （修正有）【課題】ユーザの身体に快適さを与え且つユーザの身体を支持する混合材料を利用するサポートクッションを提供する。【解決手段】サポートクッション１０は、複数の繊維２６と複数の軟質フォーム片とから成る中材２０を備える。また、サポートクッション１０には、軟質フォームから成るスリーブ３０が備えられ、スリーブ３０により中材２０が封入される。【選択図】図１
2016168330.tif 000002
【特許請求の範囲】
【請求項１】
複数の繊維と、複数の軟質フォーム片から成る第１軟質フォームとを含む中材と、
第２軟質フォームから成り、前記中材を封入するスリーブと、を備えた
サポートクッション。
【請求項２】
前記第１軟質フォーム、前記第２軟質フォームまたはその両方、が粘弾性フォームである、
請求項１に記載のサポートクッション。
【請求項３】
前記第１軟質フォームと前記第２軟質フォームの両方が粘弾性フォームであり、
前記第１軟質フォームの密度は、前記第２軟質フォームの密度よりも大きい、
請求項２に記載のサポートクッション。
【請求項４】
前記複数の軟質フォーム片は、軟質フォーム片の第１部分と軟質フォーム片の第２部分とから成り、
前記軟質フォーム片の第１部分の密度は、前記軟質フォーム片の第２部分の密度よりも大きい、
請求項１に記載のサポートクッション。
【請求項５】
前記複数の繊維は、天然繊維、合成繊維またはその両方から成る、
請求項１に記載のサポートクッション。
【請求項６】
前記複数の繊維は、合成繊維から成る、
請求項１に記載のサポートクッション。
【請求項７】
前記複数の繊維は、ポリエステル繊維である、
請求項６に記載のサポートクッション。
【請求項８】
前記中材は、約５０％が前記複数の繊維から成り、約５０％が前記第１軟質フォームから成る、
請求項１に記載のサポートクッション。
【請求項９】
前記中材は、約２５％が前記軟質フォーム片の第１部分から成り、約２５％が前記軟質フォーム片の第２部分から成り、約５０％が前記複数の繊維から成る、
請求項４に記載のサポートクッション。
【請求項１０】
前記スリーブに取り込まれた第１の量の相変化材料をさらに備えた、
請求項１に記載のサポートクッション。
【請求項１１】
前記スリーブを囲うライナをさらに備えた、
請求項１に記載のサポートクッション。
【請求項１２】
前記ライナは、第２の量の相変化材料をさらに備えた、
請求項１１に記載のサポートクッション。
【請求項１３】
前記ライナは、網目状体から成る、
請求項１１に記載のサポートクッション。
【請求項１４】
前記ライナは、難燃性材料から成る、
請求項１１に記載のサポートクッション。
【請求項１５】
前記ライナを囲うアウタカバーをさらに備えた、
請求項１１に記載のサポートクッション。
【請求項１６】
前記アウタカバーは、布から成る、
請求項１５に記載のサポートクッション。
【請求項１７】
複数のポリエステル繊維および複数の粘弾性フォーム片を含む中材と、
粘弾性フォームから成り、前記中材を封入するスリーブと、
前記スリーブを囲うライナと、を備えた
枕。
【請求項１８】
前記ライナを囲い、布から成るアウタカバーをさらに備えた、
請求項１７に記載の枕。
【請求項１９】
枕であって、
複数の繊維と複数の軟質フォーム片とを有する中材と、
前記中材を封入するスリーブと、を備え、
前記スリーブは、前記枕の上にいるユーザに冷却効果を与えるように構成された少なくとも１つの表面を有する、
枕。
【請求項２０】
前記中材は、約５０％が複数の繊維から成り、約５０％が複数の軟質フォーム片から成る、
請求項１９に記載の枕。
【発明の詳細な説明】
【技術分野】
【０００１】
本発明は、混合物である中材を備えたサポートクッションに関する。具体的に言うと、本発明は、複数の繊維と複数の軟質フォーム片から成る中材を利用し、上で休んでいるユーザの身体または身体の一部に快適さを与え、ユーザの身体または身体の一部を支持するサポートクッション、例えば枕に関する。
【背景技術】
【０００２】
一般的に、サポートクッション、特に枕では、その有効性ないし良さの一部は、サポートクッションがユーザの身体をどのように支持するかに基づき、また一部は、サポートクッションがどのようにユーザの身体に適合して柔らかい感触を与えるかに基づく。この点、多くのユーザは、ポリエステル繊維を中材とするサポートクッションが特に好ましいと感じる。これは、ユーザの身体または身体の一部がサポートクッションの上にくると、大きく変形して柔らかい感触が得られるからである。しかし、この変形量と柔らかい感触は、多くの場合、支持性を犠牲にして達成されるものである。支持性が低下することから、多くのユーザは、ポリエステル繊維を中材とするサポートクッションの代替物を求めている。
【０００３】
ポリエステル繊維を中材とする従来のサポートクッションに代わるものとして、また、サポートクッションにより得られる支持性の低下を補うものとして、感温性軟質フォームから成るサポートクッションが挙げられる。例えば、感温性粘弾性フォームから成るサポートクッションが好ましいことが多い。これは、身体において支持される部分の温度に少なくとも部分的に基づいて、変形してユーザの身体に適合することが可能だからである。当該性能により支持性が向上する一方、ユーザの中には、粘弾性サポートクッションが過度に硬質になって、枕として利用するのに好ましくないと感じる人もいる。
【発明の概要】
【０００４】
本発明は、混合物である中材を備えたサポートクッションに関する。具体的に言うと、本発明は、複数の繊維と複数の軟質フォーム片とから成る中材を利用し、上で休んでいるユーザの身体または身体の一部に快適さを与え、それを支持するサポートクッション、例えば枕に関する。したがって、本発明のサポートクッションにより、ユーザは、複数の軟質繊維を含むサポートクッションによって柔らかい感触を得ることができるが、繊維を中材とするサポートクッションで生じることがある支持性の低下は生じない。
【０００５】
本発明の例示的な一実施形態では、複数の繊維と第１軟質フォーム（複数の軟質フォーム片の形をとる）とから成る中材を備えた枕の形をとるサポートクッションが提供される。また、枕は、第２軟質フォームから成るスリーブを備える。スリーブは、第１面（第１側）と第１面に対して反対側の第２面（第２側）とを有し、第１面と第２面とが合わさって中材を封入している。
【０００６】
第１軟質フォームと第２軟質フォームの両方が、大略、ユーザの身体または身体の一部からサポートクッションの全体に圧力を好適に分散させることが可能な軟質フォームから成る。幾つかの実施形態で、軟質フォームは、所望の密度と硬度を有し、サポートクッションの全体に均一に圧力を分散させる粘弾性フォームである。幾つかの実施形態では、中材に含まれる第１軟質フォームと、スリーブに含まれる第２軟質フォームの両方が、粘弾性フォームから成る。ある実施形態では、スリーブを構成する粘弾性フォームの密度は、中材に含まれる複数の軟質フォーム片を構成する粘弾性フォームの密度より小さくてもよい。その結果、スリーブを構成する粘弾性フォームにより、休むのに適した柔らかい表面が得られ、複数の軟質フォーム片を構成する粘弾性フォームにより、所望の支持性が得られる。
【０００７】
サポートクッションの中材に含まれる粘弾性フォームに関して、第１軟質フォームを構成する複数の軟質フォーム片は、サポートクッションにより得られる快適さと支持性を向上させるように構成されてもよい。例えば、幾つかの実施形態では、複数の軟質フォーム片は、軟質フォーム片の第１部分と、軟質フォーム片の第２部分とから成る。ここで、軟質フォーム片の第１部分の密度と軟質フォーム片の第２部分の密度とは、同じでない。この点、ある実施形態では、軟質フォーム片の第１部分の密度は、軟質フォーム片の第２部分の密度より小さくてもよい。これにより、軟質フォーム片の第１部分は、ユーザの身体を休ませるのに適した柔らかい表面を提供するように構成され、軟質フォーム片の第２部分は、ユーザの身体に対する所望の支持性を提供するように構成される。
【０００８】
中材に関して、例示的なサポートクッションに含まれる複数の繊維は、天然繊維、合成繊維またはその組み合わせから成っていてもよい。幾つかの実施形態では、複数の繊維は、合成繊維（幾つかの実施形態では、枕の中材として一般的に用いられるポリエステル繊維）のみを含んでいる。ただし、例示的なサポートクッションに含まれる繊維の種類とは無関係に、複数の繊維は、大略、複数の軟質フォーム片の間で均一に分散し、かつ、凝集せず、サポートクッションにおける空気の通過を妨げない程度の量、中材に含まれている。例えば、幾つかの実施形態では、十分な量の空気がスリーブを通過するように、複数のポリエステル繊維は、中材の体積の約５０％を占める。中材の体積の残り５０％は、複数の軟質フォーム片が占める（例えば、軟質フォーム片の第１部分が約２５％を占め、軟質フォーム片の第２部分が約２５％を占める）。
【０００９】
スリーブを保護するために、サポートクッションは、スリーブを囲うライナをさらに備えている。幾つかの実施形態では、ライナは、所定量の相変化材料を含む網目状体から成る。これにより、枕の上で休んでいるユーザの身体または身体の一部に冷感が与えられる。また、ライナには、１つ以上の難燃性材料が取り込まれていてもよい。これにより、サポートクッションのスリーブと中材が難燃性障壁で囲われる。
【００１０】
ある実施形態では、サポートクッションは、スリーブとその内側の中材とを保護するライナに加えて、ライナを囲って保護するアウタカバーを備えている。当該アウタカバーは、典型的に、十分な耐久性を有する布から成る一方、十分な「通気性」を有する。十分な通気性が存在することにより、空気と熱がアウタカバーを通過することができ、さらに、ライナ内の相変化材料（含まれていていれば）により、枕の上で休んでいるユーザに対する冷却効果が得られる。例えば、幾つかの実施形態では、アウタカバーは綿１００％である。
【００１１】
本発明の更なる特徴と利点は、明細書、図面およびこの文書に記載された非制限的な例を検討した当業者には明らかであろう。
【図面の簡単な説明】
【００１２】
【図１】本発明に係るサポートクッションの例を枕の形で示す斜視図であり、サポートクッションの中材とスリーブが見えるように一部を除いて示している。
【図２】図１に示すサポートクッションの２−２線に沿った断面図の一部を示す。
【図３】本発明に係るサポートクッションの他の例を示す斜視図であり、サポートクッションの中材とスリーブが見えるように一部を除いて示している。
【図４】図３に示す枕の４−４線に沿った断面図の一部を示す。
【図５】本発明に係るサポートクッションを椅子として用いた例を示す断面図である。
【発明を実施するための形態】
【００１３】
本発明は、混合物である中材（混合中材）を備えたサポートクッションに関する。具体的に言うと、本発明は、複数の繊維と複数の軟質フォーム片とから成る中材を利用し、上で休んでいるユーザの身体または身体の一部に快適さを与え、それを支持するサポートクッション、例えば枕に関する。したがって、本発明のサポートクッションにより、ユーザは、複数の軟質繊維を含むサポートクッションによって柔らかい感触を得ることができるが、繊維充填サポートクッションで生じることがある支持性の低下は生じない。
【００１４】
図１と図２を参照して、本発明の例示的な一実施形態では、複数の繊維２６と第１軟質フォームとから成る軟らかい（緩い）中材２０を備えた枕１０の形をとるサポートクッションが提供される。第１の軟質フォームは、軟質フォーム片の第１部分２２と、軟質フォーム片の第２部分２４とから成る。また、枕１０には、第１面（第１側）３２と第１面３２に対して反対側の第２面（第２側）３４とを有し、かつ、第２軟質フォームから成るスリーブ３０が備えられている。
【００１５】
軟質フォーム片の第１部分２２、軟質フォーム片の第２部分２４およびスリーブ３０はそれぞれ、大略、軟質フォームから成る。軟質フォームは、ユーザの身体または身体の一部から枕１０の全体に圧力を好適に分散させることができる。軟質フォームの例は、これに限定されないが、ラテックスフォーム、網目状または非網目状粘弾性フォーム（メモリフォームまたは低反発フォームとも称されることがある）、網目状または非網目状非粘弾性フォーム、ポリウレタン高反発フォーム、発砲ポリマーフォーム（例えば、発砲エチレンビニルアセテート、発砲ポリプロピレン、発砲ポリスチレンまたは発砲ポリエチレン）などである。図１と図２に示す実施形態では、軟質フォーム片の第１部分２２、軟質フォーム片の第２部分２４およびスリーブ３０は、それぞれ粘弾性フォームから成る。これらの粘弾性フォームの硬度は、約１０Ｎ以上約８０Ｎ以下である。この硬度の測定は、国際標準化機構（ＩＳＯ）２４３９の硬度測定標準により規定されたものであり、ほぼ室温（すなわち２１℃から２３℃）で、プレートから材料サンプルに対して圧力を加え、元の材料の厚さの少なくとも４０％圧縮し、この４０％の圧縮を所定時間保持して行われる。ある実施形態で、軟質フォーム片の第１部分２２、軟質フォーム片の第２部分２４およびスリーブ３０の硬度は、所望の快適さと身体適合性を与える約１０Ｎ、約２０Ｎ、約３０Ｎ、約４０Ｎ、約５０Ｎ、約６０Ｎ、約７０Ｎまたは約８０Ｎである。
【００１６】
軟質フォーム片の第１部分２２、軟質フォーム片の第２部分２４およびスリーブ３０を備えた粘弾性フォームの密度もまた、材料の耐久性を増加させることに加えて、所望の快適さと身体適合性を与えるような大きさであってよい。ある実施形態では、軟質フォーム片の第１部分２２、軟質フォーム片の第２部分２４およびスリーブ３０の密度は、約３０ｋｇ／ｍ３以上約１５０ｋｇ／ｍ３以下である。ある実施形態では、軟質フォーム片の第１部分２２、軟質フォーム片の第２部分２４およびスリーブ３０の密度は、約３０ｋｇ／ｍ３、約４０ｋｇ／ｍ３、約５０ｋｇ／ｍ３、約６０ｋｇ／ｍ３、約７０ｋｇ／ｍ３、約８０ｋｇ／ｍ３、約９０ｋｇ／ｍ３、約１００ｋｇ／ｍ３、約１１０ｋｇ／ｍ３、約１２０ｋｇ／ｍ３、約１３０ｋｇ／ｍ３、約１４０ｋｇ／ｍ３、約１５０ｋｇ／ｍ３である。具体的に好ましい一実施形態では、ユーザを十分に支持しつつ、ユーザの身体または身体の一部が休むための柔らかい表面を提供するために、軟質フォーム片の第１部分２２の密度と軟質フォーム片の第２部分２４の密度とは同じでない。例えば、ある実施形態では、軟質フォーム片の第１部分２２の密度は、休むのに適した柔らかい表面を軟質フォーム片の第１部分２２が提供し、所望の支持性を軟質フォーム片の第２部分２４が提供するように、軟質フォーム片の第２部分２４の密度よりも小さくされる。もちろん、選択される粘弾性フォームの密度により、フォームの他の特性（硬度、フォームの圧力応答性、フォームの全体的な感触など）が影響を受けることになるが、特定の用途または所望のサポートクッションのために、所望の密度と硬度を有する粘弾性フォームを容易に選択できることが理解される。
【００１７】
図１と図２を参照して、この例示的な実施形態では、枕１０のスリーブ３０内に、枕１０の中材２０が封入される。上述のとおり、スリーブ３０は、粘弾性フォームから成る。スリーブ３０は、粘弾性フォームの連続片（粘弾性フォーム片とは対になる用語である）から成り、典型的に、密度、硬度またはその両方において、中材２０に含まれる軟質フォーム片の第１部分２２の密度および／または軟質フォーム片の第２部分２４よりも小さい。これにより、スリーブ３０では、ユーザの身体または身体の一部に接する表面がさらに柔らかくなる。例えば、ある実施形態では、枕１０のスリーブ３０は、密度が約３５ｋｇ／ｍ３であり硬度が約１０Ｎである粘弾性フォームから成り、中材２０に含まれる軟質フォーム片の第１部分２２の密度および軟質フォーム片の第２部分２４は、密度が約４０ｋｇ／ｍ３であり硬度が約１５Ｎである粘弾性フォーム片から成る。
【００１８】
さらに、本発明の例示的なサポートクッションの中材に関して、中材に含まれる複数の繊維は、天然繊維（例えば綿繊維または絹繊維）、合成繊維（例えばポリエステル繊維）またはその組合せを含んでいてもよい。図１と図２に示す実施形態では、枕１０における複数の繊維２６は、ポリエステル繊維であって、軟質フォーム片の第１部分２２および軟質フォーム片の第２部分２４に均一に分散しているだけでなく、軟質フォーム片の第１部分２２と軟質フォーム片の第２部分２４とが凝集せず且つ枕１０を空気の通過を妨げない程度の量、中材２０に含まれている。具体的には、枕１０で、複数の繊維２６は、中材２０の体積の約５０％を占める。枕１０における中材２０の体積の残り５０％は、軟質フォーム片の第１部分２２および軟質フォーム片の第２部分２４が占めている。軟質フォーム片の第１部分２２は、中材の体積の約２５％を占め、軟質フォーム片の第２部分２４は、中材の体積の約２５％を占めている。もちろん、例示的なサポートクッションに含まれる繊維の量および軟質フォーム片の量は、特定の用途および所望のサポートクッションに応じて調節、選択されてよい。その結果、中材に含まれる材料の量と種類を変更することにより、感触の異なる（例えば、柔らかい、ふつう、硬い）サポートクッションを容易に製造できる。
【００１９】
図１と図２を参照して、枕１０のスリーブ３０を保護するために、枕１０には、スリーブ３０を囲い、かつ、典型的には１つ以上の難燃性材料から成るライナが備えられている。これにより、枕１０のスリーブ３０および中材２０が難燃性障壁に囲われる。また、枕１０は、ライナ４０を囲うアウタカバー５０を備える。アウタカバー５０は、典型的に、枕１０において内側に位置するライナ４０とスリーブ３０を保護するのに十分な耐久性を有する布から成る。一方、アウタカバー５０は、スリーブ３０とライナ４０を、さらにアウタカバー５０を空気と熱が通過するのに十分な「通気性」を有する。図１と図２に示す実施形態では、アウタカバー５０は、綿１００％であり、これにより、十分な量の空気が枕１０を通過するようにする。ただし、絹や、綿の割合が１００％より低い布など、他の多くの布を用いてアウタカバーを製造してもよいことが容易に理解される。
【００２０】
図３と図４を参照して、本発明の他の例示的な実施形態では、複数の繊維１２６と、第１軟質フォーム片１２２および第２軟質フォーム片１２４から成る第１軟質フォームと、から成る中材１２０を備える枕１１０の形をとる例示的なサポートクッションが提供される。図１と図２に示す枕１０と同様に、枕１１０には、中材１２０を囲い、かつ、第１面（第１側）１３２および第２面（第２側）１３４を有するスリーブ１３０と、スリーブ１３０を囲うライナ１４０と、アウタカバー１５０とが備えられている。ただし、図１と図２に示す枕とは異なり、スリーブ１３０の第１面１３２と第２面１３４は、互いに同一ではない。枕１１０において、スリーブ１３０の第１面１３２は、曲面形状を有し、第１面１３２の上にいるユーザの頭、首および肩が一直線に並ぶようにしている。さらに、枕１１０では、スリーブ１３０とライナ１４０が所定量の相変化材料を含み、これにより、枕１１０の上で休んでいるユーザの身体または身体の一部に冷感を与えることができる。この点、図３と図４でスリーブ１３０とライナ１４０にドットで示しているように、相変化材料は、大略、枕１１０の上で休んでいるユーザの身体が相変化材料に近接するように配置され、構成されている。
【００２１】
スリーブ１３０とライナ１４０に取り込まれる相変化材料は、大略、溶解熱が大きい物質を含み、当該物質が固体と液体の間で相変化したときに（すなわち、相変化材料である）熱を蓄積または放出するミクロスフェアから成る。スリーブ１３０とライナ１４０に取り込まれる相変化材料は、枕１１０の上で横になっているユーザが生成する熱により、固体から液体に変化する（すなわち溶解する）。これにより、相変化材料は、連続的に熱を吸収し、すべての相変化材料が固体から液体に変わるまでの間、ユーザに冷却効果を与える。ただし、本明細書で説明している主題の精神と範囲から逸脱しない範囲で、本発明に係るサポートクッションの例示的なスリーブとライナにおける複数の異なる部分、および、例示的なサポートクッションの中材にも相変化材料が取り込まれてよいことが理解される。
【００２２】
枕１１０のライナ１４０は、複数の異なる材料（相変化材料を取り込むことができる）から成っていてもよい。好ましい一実施形態では、ライナ１４０は、相変化材料を含む槽を通過し、これにより相変化材料が網目状体に付着し、そして網目状体に固定された（例えば、米国特許第8,404,345号、8,329,223号、7,794,507および7,186,273号を参照、これらの文献は、参照により全体として本明細書に組み込まれる）網目状体から成っている。
【００２３】
図１から図４に示すサポートクッションは、枕１０，１１０の形態をとっており、ユーザの頭を支持する寸法とされているが、本発明の更なる改良点として、本明細書で説明している特徴は、マットレス、シートクッション、シートバック、首枕、脚スペーサ枕、マットレストッパ、オーバレイなどにも同様に適用できると理解される。このように、本明細書で用いられる用語「サポートクッション」は、任意の大きさと形状を有し、ユーザの身体または身体の一部を支持することが可能な、またはユーザの身体または身体の一部を支持するために通常用いられる、すべてのものを指す。例えば、図５に示すように、本発明に係るサポートクッションは、机用椅子３１０のシート３１２と背もたれ３１４に取り込まれる。机用椅子３１０の各サポートクッションは、複数の繊維３２６、軟質フォーム片の第１部分３２２および軟質フォーム片の第２部分３２４を備える。各サポートクッションは、第１面３３２（第１側）と第１面３３２に対して反対側の第２面（第２側）３３４とを有するスリーブ３３０を備え、第１面３３２と第２面３３４とが合わさって中材３２０を封入している。スリーブ３３０は、ライナ３４０およびアウタカバー３５０により覆われ、かつ、粘弾性フォームの連続片から成る。その結果、スリーブ３３０は、中材３２０に沿って、机用椅子３１０の上で休んでいるユーザの身体に柔らかい感触を与えるが、軟質繊維のみから成るサポートクッションで生じることがある支持性の低下は生じない。
【００２４】
この文書を通じて、さまざまな引用文献について述べている。すべての引用文献は、参照により本明細書に組み込まれる（以下のリストに記載した参考文献を含む）。
【００２５】
（参考文献）
１．米国特許第８，４０４，３４５号明細書（発明者：Ｇｏｍｅｓ，  ｅｔ  ａｌ．、発行日：２０１３年３月２６日、発明の名称：Ｍｉｃｒｏｃａｐｓｕｌｅｓ  ｗｉｔｈ  Ｆｕｎｃｔｉｏｎａｌ  Ｒｅａｃｔｉｖｅ  Ｇｒｏｕｐｓ  ｆｏｒ  Ｂｉｎｄｉｎｇ  Ｆｉｂｒｅｓ  ａｎｄ  Ｐｒｏｃｅｓｓ  ｏｆ  Ａｐｐｌｉｃａｔｉｏｎ  ａｎｄ  Ｆｉｘａｔｉｏｎ）
２．米国特許第８，３２９，２２３号明細書（発明者：Ｇｏｍｅｓ，  ｅｔ  ａｌ．、発行日：２０１２年１２月１１日、発明の名称：Ｄｏｕｂｌｅ  Ｗａｌｌｅｄ  Ｍｉｃｒｏｃａｐｓｕｌｅｓ  ｗｉｔｈ  ａｎ  Ｏｕｔｅｒ  Ｔｈｅｒｍｏｐｌａｓｔｉｃ  Ｗａｌｌ  ａｎｄ  Ａｐｐｌｉｃａｔｉｏｎ  Ｐｒｏｃｅｓｓ  Ｔｈｅｒｅｏｆ）
３．米国特許第８，０３４，４４５号明細書（発明者：Ｌａｎｄｖｉｋ，  ｅｔ  ａｌ．、発行日：２０１１年１０月１１日、発明の名称：Ｌａｍｉｎａｔｅｄ  Ｖｉｓｃｏ−Ｅｌａｓｔｉｃ  Ｓｕｐｐｏｒｔ）
４．米国特許第８，０２５，９６４号明細書（発明者：Ｌａｎｄｖｉｋ，  ｅｔ  ａｌ．、発行日：２０１１年９月２７日、発明の名称：Ｌａｍｉｎａｔｅｄ  Ｖｉｓｃｏ−Ｅｌａｓｔｉｃ  Ｓｕｐｐｏｒｔ）
５．米国特許第７，９７９，３７４号明細書（発明者：Ｌａｎｄｖｉｋ、発行日：２０１１年７月１２日、発明の名称：Ｐｒｏｄｕｃｔ  Ｄｅｍｏｎｓｔｒａｔｉｏｎ  Ｓｙｓｔｅｍ  ａｎｄ  Ｍｅｔｈｏｄ  ｆｏｒ  Ｕｓｉｎｇ  ｔｈｅ  Ｓａｍｅ）
６．米国特許第７，７９４，５０７号明細書（発明者：Ｂｉｓｈｏｐ，  ｅｔ  ａｌ．、発行日：２０１０年９月１４日、発明の名称：Ｔｅｘｔｉｌｅ  Ｔｒｅａｔｍｅｎｔ）
７．米国特許第７，７３５，１６９号明細書（発明者：Ｗａｓｓｉｌｅｆｓｋｙ、発行日：２０１０年６月１５日、発明の名称：Ｃｏｍｆｏｒｔ  Ｐｉｌｌｏｗ）
８．米国特許第７，７０７，６７０号明細書（発明者：Ｆｏｇｇ、発行日：２０１０年５月４日、発明の名称：Ｐｉｌｌｏｗ  ｔｏｐ  ｆｏｒ  ａ  Ｃｕｓｈｉｏｎ）
９．米国特許第７，５５５，６１５号明細書（発明者：Ｌａｎｄｖｉｋ、発行日：２００９年６月３０日、発明の名称：Ｐｒｏｄｕｃｔ  Ｄｅｍｏｎｓｔｒａｔｉｏｎ  Ｓｙｓｔｅｍ  ａｎｄ  Ｍｅｔｈｏｄ  ｆｏｒ  Ｕｓｉｎｇ  ｔｈｅ  Ｓａｍｅ）
１０．米国特許第７，５０７，４６８号明細書（発明者：Ｌａｎｄｖｉｋ，  ｅｔ  ａｌ．、発行日：２００９年３月２４日、発明の名称：Ｌａｍｉｎａｔｅｄ  Ｖｉｓｃｏ−Ｅｌａｓｔｉｃ  Ｓｕｐｐｏｒｔ）
１１．米国特許第７，４６９，４３７号明細書（発明者：Ｍｉｋｋｅｌｓｅｎ，  ｅｔ  ａｌ．、発行日：２００８年１２月３０日、発明の名称：Ｒｅｔｉｃｕｌａｔｅｄ  Ｍａｔｅｒｉａｌ  Ｂｏｄｙ  Ｓｕｐｐｏｒｔ  ａｎｄ  Ｍｅｔｈｏｄ）
１２．米国特許第７，４４４，７０２号明細書（発明者：Ｆｏｇｇ、発行日：２００８年１１月４日、発明の名称：Ｐｉｌｌｏｗ  ｔｏｐ  ｆｏｒ  ａ  Ｃｕｓｈｉｏｎ）
１３．米国特許第７，４１５，７４２号明細書（発明者：Ｗａｓｓｉｌｅｆｓｋｙ、発行日：２００８年８月２６日、発明の名称：Ｃｏｍｆｏｒｔ  Ｐｉｌｌｏｗ）
１４．米国意匠登録第Ｄ５５８，４９９号（創作者：Ｍａａｒｂｊｅｒｇ、発行日：２００８年１月１日、名称：Ｐｉｌｌｏｗ）
１５．米国特許第７，１８６，２７３号明細書（発明者：Ｅｌｌｉｓ，  ｅｔ  ａｌ．、発行日：２００７年３月６日、発明の名称：Ｔｒｅａｔｍｅｎｔ  ｏｆ  Ｔｅｘｔｉｌｅｓ  ｗｉｔｈ  Ｆｌｕｏｒｉｎａｔｅｄ  Ｐｏｌｙｅｔｈｅｒｓ）
１６．米国特許第７，１５５，７６５号明細書（発明者：Ｆｏｇｇ、発行日：２００７年１月２日、発明の名称：Ｐｉｌｌｏｗ  ｔｏｐ  ｆｏｒ  ａ  Ｃｕｓｈｉｏｎ）
１７．米国意匠登録第Ｄ５２９，３２５号（創作者：Ｍａａｒｂｊｅｒｇ、発行日：２００６年１０月３日、名称：Ｐｉｌｌｏｗ）
１８．米国特許第７，０８２，６３３号明細書（発明者：Ｍａａｒｂｊｅｒｇ、発行日：２００６年８月１日、発明の名称：Ｐｉｌｌｏｗ）
１９．米国特許第７，０５１，３８９号明細書（発明者：Ｗａｓｓｉｌｅｆｓｋｙ、発行日：２００６年５月３０日、発明の名称：Ｃｏｍｆｏｒｔ  Ｐｉｌｌｏｗ）
２０．米国特許第６，８６６，９１５号明細書（発明者：Ｌａｎｄｖｉｋ、発行日：２００５年３月１５日、発明の名称：Ｃｕｓｈｉｏｎ）
２１．米国特許第６，６０２，５７９号明細書（発明者：Ｌａｎｄｖｉｋ、発行日：２００３年８月５日、発明の名称：Ｃｕｓｈｉｏｎ）
２２．米国特許第６，５７８，２１８号明細書（発明者：Ｗａｓｓｉｌｅｆｓｋｙ、発行日：２００３年１月１７日、発明の名称：Ｌｅｇ  Ｓｐａｃｅｒ  Ｐｉｌｌｏｗ）
２３．米国特許第６，５４１，０９４号明細書（発明者：Ｌａｎｄｖｉｋ，  ｅｔ  ａｌ．、発行日：２００３年４月１日、発明の名称：Ｌａｍｉｎａｔｅｄ  Ｖｉｓｃｏ−Ｅｌａｓｔｉｃ  Ｓｕｐｐｏｒｔ）
２４．米国意匠登録第Ｄ４５６，６６０号（創作者：Ｌａｎｄｖｉｋ、発行日：２００２年５月７日、名称：Ｃｏｎｔｏｕｒｅｄ  Ｈｅａｄ  Ｐｉｌｌｏｗ）
２５．米国特許出願公開第２０１１／０２５２５６２号明細書（発明者：Ｍｉｋｋｅｌｓｅｎ，  ｅｔ  ａｌ．、公開日：２０１１年１０月２０日、発明の名称：Ａｄｊｕｓｔａｂｌｅ−Ｆｉｒｍｎｅｓｓ  Ｂｏｄｙ  Ｓｕｐｐｏｒｔ  ａｎｄ  Ｍｅｔｈｏｄ）
２６．米国特許出願公開第２００７／００９４８０３号明細書（発明者：Ｆｏｇｇ、公開日：２００７年５月３日、発明の名称：Ｐｉｌｌｏｗ  ｔｏｐ  ｆｏｒ  ａ  Ｃｕｓｈｉｏｎ）
２７．米国特許出願公開第２００６／０２８８４９０号明細書（発明者：Ｍｉｋｋｅｌｓｅｎ，  ｅｔ  ａｌ．、公開日：２００６年１２月２８日、発明の名称：Ｒｅｔｉｃｕｌａｔｅｄ  Ｍａｔｅｒｉａｌ  Ｂｏｄｙ  Ｓｕｐｐｏｒｔ  ａｎｄ  Ｍｅｔｈｏｄ）
２８．米国特許出願公開第２００６／０２７７６８４号明細書（発明者：Ｗａｓｓｉｌｅｆｓｋｙ、公開日：２００６年１２月１４日、発明の名称：Ｃｏｍｆｏｒｔ  Ｐｉｌｌｏｗ）
２９．米国特許出願公開第２００６／０１７４４１４号明細書（発明者：Ｍａａｒｂｊｅｒｇ、公開日：２００６年８月１０日、発明の名称：Ｐｉｌｌｏｗ）
３０．米国特許出願公開第２００５／０２０２２１４号明細書（発明者：Ｌａｎｄｖｉｋ、公開日：２００５年９月１５日、発明の名称：Ｃｕｓｈｉｏｎ）
３１．米国特許出願公開第２００５／００８４６６７号明細書（発明者：Ｌａｎｄｖｉｋ、公開日：２００５年４月２１日、発明の名称：Ｌａｍｉｎａｔｅｄ  Ｖｉｓｃｏ−Ｅｌａｓｔｉｃ  Ｓｕｐｐｏｒｔ）
３２．米国特許出願公開第２００５／００７６４４６号明細書（発明者：Ｆｏｇｇ、公開日：２００５年４月１４日、発明の名称：Ｐｉｌｌｏｗ  ｔｏｐ  ｆｏｒ  ａ  Ｃｕｓｈｉｏｎ）
３３．米国特許出願公開第２００４／００７３９３１号明細書（発明者：Ｔｒｕｓｓｅｌ  Ｊｒ．，  ｅｔ  ａｌ．、公開日：２００４年４月１５日、発明の名称：Ｉｎｔｅｒａｃｔｉｖｅ  Ｂｅｄ  Ｄｉｓｐｌａｙ）
３４．米国特許出願公開第２００４／００３３３５１号明細書（発明者：Ｌａｎｄｖｉｋ，  ｅｔ  ａｌ．、公開日：２００４年２月１９日、発明の名称：Ｌａｍｉｎａｔｅｄ  Ｖｉｓｃｏ−Ｅｌａｓｔｉｃ  Ｓｕｐｐｏｒｔ）
３５．米国特許出願公開第２００３／０１７１９５４号明細書（発明者：Ｇｕｅｒｉｎ，  ｅｔ  ａｌ．、公開日：２００３年９月１１日、発明の名称：Ｍｅｔｈｏｄ  ｏｆ  Ｍａｎａｇｉｎｇ  ｔｈｅ  Ｐｒｏｖｉｓｉｏｎ  ｏｆ  Ｈｅａｌｔｈｃａｒｅ  ａｎｄ  Ｓｙｓｔｅｍ  ｆｏｒ  Ｅｆｆｅｃｔｉｎｇ  Ｓａｍｅ）
３６．米国特許出願公開第２００１／００２１４３８号明細書（発明者：Ｌａｎｄｖｉｋ、公開日：２００１年９月１３日、発明の名称：Ｃｕｓｈｉｏｎ）
【００２６】
当業者は、本発明の教示または以下の特許請求の範囲から逸脱しない限りにおいて、追加の実施形態または実施例が可能であると認識するだろう。発明の詳細な説明、特に本明細書で開示している例示的な実施形態の具体的な詳細は、主として明確な理解のためになされており、不要な限定があると理解すべきではない。この開示を目にした当業者には、複数の変形例が明らかであり、本発明の精神と範囲を逸脱しない限りにおいてこうした変形例がなされてよい。
【図１】
2016168330.tif 000003
【図２】
2016168330.tif 000004
【図３】
2016168330.tif 000005
【図４】
2016168330.tif 000006
【図５】
2016168330.tif 000007
【外国語明細書】
2016168330.tif 000008
2016168330.tif 000009
2016168330.tif 000010
2016168330.tif 000011
2016168330.tif 000012
2016168330.tif 000013
2016168330.tif 000014
2016168330.tif 000015
2016168330.tif 000016
2016168330.tif 000017
2016168330.tif 000018
2016168330.tif 000019
2016168330.tif 000020
2016168330.tif 000021
2016168330.tif 000022
2016168330.tif 000023
2016168330.tif 000024
2016168330.tif 000025
2016168330.tif 000026
2016168330.tif 000027
2016168330.tif 000028
2016168330.tif 000029
2016168330.tif 000030